(57)【要約】【課題】読み取った画像データの送信先に２次元コードのデコードのための設備がない場合でも、送信した画像データに含まれる２次元コードの内容を送信先で容易に認識又は活用できるデータ通信装置を提供する。【解決手段】インターネットファクシミリ送信処理において、スキャナ１４により読み取った送信対象の画像データに２次元コードが含まれる場合に、その２次元コードがデコードされて得られた復元データが電子メールの本文に記載されて画像データと共に送信される。【選択図】図１
2008182405.tif 000002
【特許請求の範囲】
【請求項１】
原稿から画像データを読み取る読取部と、
前記画像データに含まれる２次元コードを検出してデコードし、復元データを生成するデコード部と、
前記復元データを送信データ中に盛り込み、その送信データを前記画像データと共に送信する送信データ作成部と、を備えることを特徴とするデータ通信装置。
【請求項２】
請求項１に記載のデータ通信装置において、
前記送信データ作成部は、前記送信データとしての電子メールの本文に前記復元データを記載するとともに該電子メールに前記画像データを添付し、該電子メールを送信することを特徴とするデータ通信装置。
【請求項３】
請求項１に記載のデータ通信装置において、
前記送信データ作成部は、前記送信データとしての構造化データに前記復元データを記載するとともに前記画像データを埋め込み、該構造化データを送信することを特徴とするデータ通信装置。
【発明の詳細な説明】
【技術分野】
【０００１】
本発明は、原稿から読み取った画像データを送信するデータ通信装置に関する。
【背景技術】
【０００２】
この種の従来の装置として、原稿から読み取った２次元コードを含む画像データを電子メールに添付して送信する際に、その２次元コードをデコードして得られた復元データ（文字情報）に基づいて電子メールの送信先を決定するようになっているインターネットファクシミリ装置がある（特許文献１）。
【特許文献１】特開２００６−１１５０２１号公報
【発明の開示】
【発明が解決しようとする課題】
【０００３】
しかしながら、上述の従来技術では、デコードして得られた復元データはファクシミリの送信先の特定に用いられるのみであり、ファクシミリの送信内容としては、読み取られた画像データがそのまま送信されるようになっている。このため、ファクシミリの受信側に、２次元コードをデコードする設備がない場合には、受信した画像データに含まれる２次元コードの内容を認識又は活用することができない。
【０００４】
そこで、本発明の解決すべき課題は、読み取った画像データの送信先に２次元コードのデコードのための設備がない場合でも、送信した画像データに含まれる２次元コードの内容を送信先で容易に認識又は活用できるデータ通信装置を提供することである。
【課題を解決するための手段】
【０００５】
上記の課題を解決するため、請求項１の発明では、原稿から画像データを読み取る読取部と、前記画像データに含まれる２次元コードを検出してデコードし、復元データを生成するデコード部と、前記復元データを送信データ中に盛り込み、その送信データを前記画像データと共に送信する送信データ作成部とを備える。
【０００６】
また、請求項２の発明では、請求項１の発明に係るデータ通信装置において、前記送信データ作成部は、前記送信データとしての電子メールの本文に前記復元データを記載するとともに該電子メールに前記画像データを添付し、該電子メールを送信する。
【０００７】
また、請求項３の発明では、請求項１の発明に係るデータ通信装置において、前記送信データ作成部は、前記送信データとしての構造化データに前記復元データを記載するとともに前記画像データを埋め込み、該構造化データを送信する。
【発明の効果】
【０００８】
請求項１に記載の発明によれば、読み取った画像データに２次元コードが含まれている場合に、その２次元コードをデコードしてその復元データを送信データ中に盛り込み、その送信データを画像データと共に送信する構成であるため、読み取った画像データの送信先に２次元コードのデコードのための設備がない場合でも、送信した画像データに含まれる２次元コードの内容を送信先で容易に認識又は活用できる。
【０００９】
請求項２に記載の発明によれば、２次元コードが含まれる画像データを電子メールに添付して送信する場合に、電子メールの受信側で２次元コードのデコードのための設備がない場合でも、受信した画像データに含まれる２次元コードの内容を受信側で容易に認識又は活用できる。
【００１０】
請求項３に記載の発明によれば、２次元コードが含まれる画像データを構造化データに埋め込んで送信する場合に、構造化データの受信側で２次元コードのデコードのための設備がない場合でも、受信した構造化データの画像データに含まれる２次元コードの内容を受信側で容易に認識又は活用できる。
【発明を実施するための最良の形態】
【００１１】
図１は、本発明の一実施形態に係るデータ通信装置としてのファクシミリ複合装置のブロック図である。このファクシミリ複合装置１０の機能には、プリンタ機能、ファクシミリ機能、インターネットファクシミリ機能、コピー機能、及びスキャナ機能等が含まれている。
【００１２】
また、このファクシミリ複合装置１０は、ＬＡＮ（Local Area Network）等のネットワーク２１及び公衆電話回線網２２を介して各種のデータ通信が行えるようになっている。ネットワーク２１は、図示しないゲートウェイを介してインターネット等の広域ネットワークに接続されている。
【００１３】
ファクシミリ複合装置１０は、図１に示すように、制御部１１と、制御部１１にバス１２を介して接続されたプリンタ１３、読取部としてのスキャナ１４、表示部１５、出力先入力部としての操作部１６、記憶部１７、モデム１８、ＮＣＵ（Network Control Unit）１９、及びネットワーク通信部２０を備えている。
【００１４】
制御部１１は、このファクシミリ複合装置１０の制御を統括するものであり、ＣＰＵ等を備えて構成されている。制御部１１には、機能要素としてデコード部１１ａ及び送信データ作成部１１ｂが備えられている。このデコード部１１ａ及び送信データ作成部１１ｂの具体的な機能については後に詳述する。
【００１５】
プリンタ１３は、例えば電子写真方式のプリンタ装置であり、図示しない他の端末装置からネットワーク２１を介して与えられたドキュメントデータ、スキャナ１４によって読み取られたドキュメントデータ、ファクシミリ受信又はインターネットファクシミリ受信したドキュメントデータ等を記録紙等に印刷する。スキャナ１４は、原稿の読み取りを行うものであり、ファクシミリ送信及びインターネットファクシミリ送信時の原稿の読み取りや、コピー機能及びスキャナ機能使用時の原稿の読み取り等に用いられる。
【００１６】
表示部１５は、液晶表示装置等によって構成され、このファクシミリ複合機２の操作情報等の表示に用いられる。操作部１６は、複数の操作ボタンやタッチパネル等によって構成され、このファクシミリ複合装置１０の操作に用いられる。
【００１７】
記憶部１７は、ＲＯＭと、ＲＡＭ等の記憶内容の書換可能な書換式の記憶装置とを備えて構成されている。ＲＯＭには、制御部１１が実行する制御プログラム等が記憶されている。書換式の記憶装置には、ファクシミリ又はインターネットファクシミリにより送受信された画像データ、コピー機能やスキャナ機能使用時に読み取られた画像データ、及びファクシミリ複合装置１０の設定や保守管理等に関するデータ等が保存される。
【００１８】
モデム１８は、ファクシミリ通信が可能なファクシミリモデムから構成されている。また、モデム１８は、ＮＣＵ１９と直接接続されている。このモデム１８及びＮＣＵ１９はファクシミリの送受信を行うファクシミリ送受信部を構成している。ＮＣＵ１９は、アナログの公衆電話回線網（ＰＳＴＮ）２２との回線の閉結及び開放の動作を行うハードウェアであり、必要に応じてモデム１８を公衆電話回線網２２と接続する。なお、ＩＳＤＮ用インターフェースを備えることによって、デジタル回線網（ＩＳＤＮ）に接続するようにしてもよい。
【００１９】
ネットワーク通信部２０は、ＬＡＮ等のネットワーク２１を介したデータ通信を担っている。より詳細には、ネットワーク通信部２０には、ＳＭＴＰ（Simple Mail Transfer Protocol）、ＰＯＰ（Post Office Protocol）、ＳＭＢ（Server Message Block）、ＨＴＴＰ等を取り扱うための機能が備えられている。ネットワーク通信部２０の具体的な機能としては、電子メールの送受、電子メールに画像データを添付して送受するインターネットファクシミリの送受、及び、ＬＡＮ又はインターネットを介したデータの送受等が含まれている。
【００２０】
制御部１１のデコード部１１ａ及び送信データ作成部１１ｂは、スキャナ１４及びネットワーク通信部２０と協働してインターネットファクシミリの送信処理を行うようになっている。送信データ作成部１１ｂは、操作部１６（スタートボタン等）が操作されてインターネットファクシミリの送信処理の開始が指示されると、スキャナ１４に原稿の読み取りを指示し、スキャナ１４によって原稿から読み取られた画像データのデータファイルを電子メールに添付し、操作部１６等を介して指定された送信先にネットワーク通信部２０を介して送信する。
【００２１】
デコード部１１ａは、図２に示すように送信対象の原稿３１に含まれる２次元コード（本実施形態では、ＱＲコード（Quick Response code））３２のデコードを行う。より詳細には、デコード部１１ａは、ファクシミリ送信処理時に原稿３１からスキャナ１４によって読み取られた画像データに２次元コード３２が含まれているか否かを判断（検出）し、２次元コード３２が含まれている場合には、その２次元コード３２をデコードし、それによって得られた復元データを送信データ作成部１１ｂに与える。なお、本実施形態では、２次元コード３２の具体例としてＱＲコードを記載したが、ＱＲコードに限定されるものではない。
【００２２】
これに対応して、送信データ作成部１１ｂは、デコード部１１ａから与えられた復元データを電子メールの本文に記載するとともに、その電子メールにスキャナ１４が読み取った画像データのデータファイルを添付し、電子メールを指示された送信先に送信するようになっている。図３は送信される電子メールの構成を例示的に示す図であり、図３中の符号３６で示す部分に２次元コード３２の復元データ（図３の例ではＵＲＬを示すデータ）が記載され、符号３７で示す部分には添付された画像データファイルに関する情報が記載されている。
【００２３】
このデコード部１１ａ及び送信データ作成部１１ｂの動作手順について、図４のフローチャートを参照して以下に詳細に説明する。
【００２４】
図４に示すように、操作部１６（スタートボタン等）が操作されてインターネットファクシミリの送信処理の開始が指示されると、ステップＳ１で、送信データ作成部１１ｂによって、スキャナ１４に原稿の読み取りが指示されてスキャナ１４による原稿からの画像データの読み取りが行われる。
【００２５】
続くステップＳ２では、デコード部１１ａによって、スキャナ１４にて読み取られた画像データに２次元コード（ここではＱＲコード）が含まれているか否かが判断され、２次元コードが含まれている場合には、ステップＳ３にてその２次元コードのデコードが行われてステップＳ４に進む一方、画像データに２次元コードが含まれていない場合にはステップＳ６に進む。
【００２６】
ステップＳ５では、送信データ作成部１１ｂによって、デコード部１１ａにより得られた復元データが送信対象の電子メールの本文に記載されて、ステップＳ６に進む。
【００２７】
ステップＳ６では、送信データ作成部１１ｂによって、送信対象の電子メールに読み取られた画像データファイルが添付され、続くステップＳ７にて、その電子メールが操作部１６等を介して指定された送信先にネットワーク通信部２０を介して送信される。
【００２８】
以上のように、本実施形態によれば、インターネットファクシミリ送信処理においてスキャナ１４により読み取った送信対象の画像データに２次元コード（本実施形態ではＱＲコード）が含まれる場合に、その２次元コードがデコードされて得られた復元データが電子メールの本文に記載されて画像データと共に送信されるようになっているため、インターネットファクシミリの受信側で２次元コードのデコードのための設備がない場合でも、受信したインターネットファクシミリの画像データに含まれる２次元コードの内容を受信側で容易に認識又は活用できる。
【００２９】
なお、上述の実施形態では、本発明を電子メールを用いたインターネットファクシミリ送信に適用したが、読み取った画像データをテキストデータ等と共に送信できるようなデータ送信であれば任意のデータ通信形態にも適用できる。例えば、送信データ作成部１１ｂが、ＨＴＭＬ（HyperText Markup Language）、ＸＭＬ（Extensible Markup Language）等により構成された構造化データファイルの構造化データ中に２次元コードの復元データを記載するとともに送信対象の画像データを埋め込み、該構造化データファイルを送信するしてもよい。
【００３０】
また、上述の実施形態では、本発明に係るデータ通信装置を、プリンタ機能、ファクシミリ機能、インターネットファクシミリ機能、コピー機能、及びスキャナ機能等を有するファクシミリ複合装置に適用したが、本発明に係るデータ通信装置をインターネットファクシミリ機能のみを備えたインターネットファクシミリ装置に適用してもよい。
【図面の簡単な説明】
【００３１】
【図１】本発明の一実施形態に係るデータ通信装置としてのファクシミリ複合装置のブロック図である。
【図２】ファクシミリ送信する原稿の内容を模式的に示す図である。
【図３】送信される電子メールの構成を例示的に示す図である。
【図４】図１のファクシミリ複合装置のインターネットファクシミリ送信時の処理動作を示すフローチャートである。
【符号の説明】
【００３２】
１０  ファクシミリ複合装置
１１  制御部
１１ａ  デコード部
１１ｂ  送信データ作成部
１４  スキャナ
２０  ネットワーク通信部
【図１】
2008182405.tif 000003
【図２】
2008182405.tif 000004
【図３】
2008182405.tif 000005
【図４】
2008182405.tif 000006